(57)【特許請求の範囲】
【請求項１】
上部が天井に架設したガイドレールに案内され下部が床面に走行自在のキャスタにより支持されたパネル同士が、その側端面が相互に接合し合って複数連接することにより部屋内を仕切る移動パネル連接式間仕切り装置であって、前記パネルの両側端面の断面は中央部が一部突出した形状であり、前記各パネルは、床面に形成した受け坪に挿入可能な挿入ロッドと該挿入ロッドと一体の人為的に操作可能な操作ピンから成る落し部材を備え、接合し合う一方の前記パネルの側端面より前記操作ピンが前記中央部から突出し、他方のパネルの側端面に前記操作ピンが挿入可能な挿入口が設けられ、前記挿入ロッドが前記操作ピンに対してパネル幅方向に偏心していることを特徴とする移動パネル連接式間仕切り装置。
【請求項２】
前記挿入口は前記操作ピンのいかなる操作位置でも受け入れ可能であるように長孔で形成されている請求項１に記載の移動パネル連接式間仕切り装置。
【請求項３】
上部が天井に架設したガイドレールに案内され下部が床面に走行自在のキャスタにより支持されたパネル同士が、その側端面が相互に接合し合って複数連接することにより部屋内を仕切る移動パネル連接式間仕切り装置であって、前記各パネルは床面に形成した受け坪に挿入可能な挿入ロッドと該挿入ロッドと一体の人為的に操作可能な操作ピンから成る落し部材を備え、前記パネルの両側端面の断面は中央部が一部突出した形状であり、前記操作ピンが前記中央部以外の側端部から長くとも該中央部の突出高さまで突出していることを特徴とする移動パネル連接式間仕切り装置。
【発明の詳細な説明】
【０００１】
【発明の属する技術分野】
本発明は、上部が天井に架設したガイドレールに沿って移動するパネル同士を、その側端面が相互に接合し合って複数連接することにより部屋内を衝立や展示パネル等として使用することができる移動パネル連接式間仕切り装置に関する。
【０００２】
【従来の技術】
従来の部屋内を仕切る移動パネル連接式間仕切り装置としては、パネル上部を天井に架設したガイドレールに案内支持させ、パネル下部は床面に対して若干の隙間を介して吊支されながら移動するものが知られていた。そして、ガイドレールはパネル重量を支えるために、天井内部の梁等を利用して曲げ剛性の高い堅牢なレールとして構築されていた。部屋の間仕切りに際しては、パネルを順次ガイドレールに沿って移動させ、パネル側端面同士を必要枚数連接させ、パネル下部は落し部材等を用いて床面に固定して間仕切り装置を立設していた。
【０００３】
【発明が解決しようとする課題】
しかしながら、前記従来の移動パネル連接式間仕切り装置は、ガイドレールを堅牢に構築しなければならないため、その配設箇所が限定されるばかりでなく、取付け作業も大がかりとなり、既設の建物に取り付けるにはコスト高であった。
【０００４】
本発明は、このような問題点に着目してなされたもので、ガイドレールが天井の任意の箇所に架設でき、パネル連接後はパネル下部が床面に対して確実に固定されるようにした移動パネル連接式間仕切り装置を提供することを目的とする。
【０００５】
【課題を解決するための手段】
上記課題を解決するために、本発明の移動パネル連接式間仕切り装置は、上部が天井に架設したガイドレールに案内され下部が床面に走行自在のキャスタにより支持されたパネル同士が、その側端面が相互に接合し合って複数連接することにより部屋内を仕切る移動パネル連接式間仕切り装置であって、前記パネルの両側端面の断面は中央部が一部突出した形状であり、前記各パネルは、床面に形成した受け坪に挿入可能な挿入ロッドと該挿入ロッドと一体の人為的に操作可能な操作ピンから成る落し部材を備え、接合し合う一方の前記パネルの側端面より前記操作ピンが前記中央部から突出し、他方のパネルの側端面に前記操作ピンが挿入可能な挿入口が設けられ、前記挿入ロッドが前記操作ピンに対してパネル幅方向に偏心していることを特徴としている。
この特徴によれば、パネルはキャスタによりその重量を支持させることができるので、ガイドレールはパネルの案内を行うだけの強度を有すれば良いことから、天井部の梁等の位置に関係なく架設することができ、連接後のキャスタによるパネル下方の移動は、落し部材により床面に固定される。しかも落し部材の操作ピンが連接する隣のパネルの側端面に挿入されているから、パネル相互の床面に対する移動が確実に阻止される。また側端面の一部を突出させることでパネル相互の密着性を高め、かつ落し部材の操作ピンを外部から見えないようにすることができ、かつ挿入ロッドがパネル幅方向に対して外側に寄せて配置できるので、挿入ロッドを床面に形成した受け坪に目視しやすい状態で挿入できる。
【０００８】
本発明の移動パネル連接式間仕切り装置は、前記挿入口は前記操作ピンのいかなる操作位置でも受け入れ可能であるように長孔で形成されていることが好ましい。
このようにすれば、落し部材の操作し忘れ、あるいは挿入ロッドがつかえて途中までしか挿入できないような場合でも、操作ピンを挿入口に受け入れることができ、パネル接合時にパネル側端面を操作ピンで傷つけてしまうようなことがない。
【０００９】
本発明の移動パネル連接式間仕切り装置は、上部が天井に架設したガイドレールに案内され下部が床面に走行自在のキャスタにより支持されたパネル同士が、その側端面が相互に接合し合って複数連接することにより部屋内を仕切る移動パネル連接式間仕切り装置であって、前記各パネルは床面に形成した受け坪に挿入可能な挿入ロッドと該挿入ロッドと一体の人為的に操作可能な操作ピンから成る落し部材を備え、前記パネルの両側端面の断面は中央部が一部突出した形状であり、前記操作ピンが前記中央部以外の側端部から長くとも該中央部の突出高さまで突出していることを特徴としている。
この特徴によれば、パネルはキャスタによりその重量を支持させることができるので、ガイドレールはパネルの案内を行うだけの強度を有すれば良いことから、天井部の梁等の位置に関係なく架設することができ、連接後のキャスタによるパネル下方の移動は、落し部材により床面に固定される。しかも側端面の一部を突出させることでパネル相互の密着性を高め、かつパネルを連接した後でも中央部同士の接合により形成される空間部を介して外部から落し部材の操作ピンを操作できる。
【００１０】
【発明の実施の形態】
以下、本発明の実施例を図面に基づいて説明する。
【００１１】
図１〜図６は、本発明の第１実施形態を示すもので、図１は本発明が適用された間仕切り装置を構成するパネルユニットの正面図、図２は間仕切り装置の部分斜視図、図３はパネルユニットを床面に固定する落し部材を示す斜視図、図４は落し部材の内部構造を示す斜視図、図５は隣接するパネル側端面の関係を示す部分断面図であり、図６の（ａ）は図５のＡ−Ａ断面図、（ｂ）は隣接するパネルユニットの端部が接合した状態を示す断面図である。
【００１２】
図１及び図２に示す符号１は、間仕切り装置を示し、この間仕切り装置１は、上部が天井３に架設したガイドレール４に案内され下部が床面６に走行自在のキャスタＣ１、Ｃ２により支持されたパネル２ａ、２ｂ同士が、その側端面が相互に接合し合って複数連接することにより部屋内を仕切るように構成されている。
【００１３】
これらパネル２ａ、２ｂは、図６（ａ）、（ｂ）に示すように、矩形状の薄い中板１３の表裏面に図示しない所定厚みの図示しないスペーサを介在させて化粧板１４ａ、１４ｂを張設して所定厚みのパネル板２Ａ、２Ｂを構成し、その上下両端にアルミサッシなどで構成された上部フレームＦＵ及び下部フレームＦＤが装着されると共に、左右両側端から若干突出した中板１３の左右両側端にアルミサッシなどで構成されたサイドフレームＦＲ、ＦＬが装着された構成となっている。
【００１４】
パネル２ａ、２ｂ左右のサイドフレームＦＲ、ＦＬ上端には、ガイドローラ５ａ、５ｂが突設し、これらガイドローラ５ａ、５ｂは垂直軸線の回りに回転可能に軸支され、ガイドレール４に移動可能に挿嵌されている。また、パネル２ａ、２ｂの下部フレームＦＤ内部には前後に床面６上を走行するキャスタＣ１、Ｃ２が配置された構成となっている。
【００１５】
各パネル２ａ、２ｂには、図３に示すように、間仕切り時における進行方向後端側となる一方のパネル２ａのサイドフレームＦＲ下端に挿入ロッド１０が上下方向に移動自在に設けられている。そして、この挿入ロッド１０に人為的に操作可能な操作ピン８を一体的に設けて落し部材１７が構成され、操作ピン８の操作により上下方向に移動自在となっている。
【００１６】
更に詳しくは、図４に示すように、パネル２ａ、２ｂの下部フレームＦＤ内部に位置するパネル板２Ａ、２Ｂの下面に逆Ｌ字形のブラケット１６が取り付けられ、このブラケット１６の下方を向く垂直面には、左右対称に離間配置したＬ字形断面の部材１５ａ、１５ｂが溶接接合されており、それらの下端には水平な舌片１８ａ、１８ｂが折曲形成されている。
【００１７】
更に、Ｌ字形断面の部材１５ａ、１５ｂの中間には、断面コ字形のガイド部材２０が前記ブラケット１６の垂直面に溶接接合されており、このガイド部材２０内の上方には、縦長直方体の摺動ブロック２２が上下方向に移動可能に挿嵌され上端側面には断面コ字形のブラケット２４が取付けられている。
【００１８】
そして、ブラケット２４の折曲された内側には挿入ロッド１０の上端が溶接接合され、その下方が一方の舌片１８ｂに形成されたガイド孔に摺動可能に挿通支持されて下端が下部フレームＦＤの下端から突設するとともに、摺動ブロック２２の前面には操作ピン８がパネルの側端面から走行方向後方に突出するように植設されている。
【００１９】
この挿入ロッド１０は、操作ピン８の人為的な操作によって上下に移動し、床面６の所定位置に予め埋め込まれた受け坪１２に落し込みによって挿入可能な構成となっており、ブラケット２４の下端と一方のＬ字形断面の部材１５ｂの上端との当接によって下限位置が決められている。
【００２０】
パネル２ａ、２ｂの、一方のパネル２ａのサイドフレームＦＲ下方の中央部には縦長の長孔Ｈが形成されており、この長孔Ｈから挿通した操作ピン８が突出している。操作ピン８は、長孔Ｈの上端によって上限位置が規制されており、上限位置における挿入ロッド１０は、例えば摺動ブロック２２を図示しないマグネットによる吸着、または摺動ブロック２２の面に形成されたノッチと弾力的に付勢されるボールとの係合により位置決め保持されるようになっている。
【００２１】
また、図５に示すように、他方のパネル２ｂ側端面のサイドフレームＦＬには、操作ピン８が挿入可能な縦長の長孔２５が形成されており、パネル２ａ、２ｂ同士の側端面が相互に接合し合った際に操作ピン８のいかなる操作位置でも受け入れ可能に構成されている。
【００２２】
次に上記のように構成された間仕切り装置の作用につき説明する。
【００２３】
間仕切り装置１は、図２、図３に示すように、部屋内をパネル２により所定の領域毎に区画するために、天井３に複数のパネル２を案内するガイドレール４が予め架設されており、ガイドレール４の端部には、複数のパネルを重ねて収容する収容領域Ｐが設けられており、この収容領域Ｐ内にはパネル２を１枚ずつ導くための分岐ガイドレール４ａが架設されている。
【００２４】
先ず、部屋内をパネル２により区画する際は、収容領域Ｐ内から１枚ずつパネル２が取り出される。取り出された最初のパネル２ａは、ガイドレール４に案内されて下部のキャスタＣ１、Ｃ２が床面６上を走行し、仕切られる部屋の端部に接合する。
【００２５】
この最初のパネル２ａが仕切られる部屋の端部に接合すると、図３に示すように、このパネル２ａの一方のサイドフレームＦＲ下端の挿入ロッド１０が床面に埋め込まれた受け坪１２に対応する。そこで、操作ピン８を人為的に下方に移動させると、図４、図５に示すように、上限位置の保持状態から開放された摺動ブロック２２が、ガイド部材２０に案内されてブラケット２４の下端が一方のＬ字形部材１５ｂの上端に当接するまで下方へ移動して挿入ロッド１０が受け坪１２に挿入する。
【００２６】
次に、２番目のパネル２ｂの側端面をガイドレール４に沿って移動させて最初のパネル２ａの側端面に接合させると、図６の（ａ）、（ｂ）に示すように、最初のパネル２ａの側端面から突出している操作ピン８が２番目のパネル２ｂの側端面に形成されている長孔２５に挿入し、接合された前後のパネル２ａ、２ｂ同士が操作ピン８により連結され、順次後続するパネルを連設接合させることにより、部屋内を仕切ることができる。
【００２７】
従って、上記のように構成された間仕切り装置によれば、パネル２ａ、２ｂが、キャスタＣ１、Ｃ２によりその重量を支持させることができるので、ガイドレール４はパネル２ａ、２ｂの案内を行うだけの強度を有すれば良いことから、天井の梁等の位置に関係なく架設することができ、連接後のキャスタＣ１、Ｃ２によるパネル２ａ、２ｂ下方の移動は、落し部材１７により床面６の受け坪１２に挿入ロッド１０を落し込むことによって確実に固定される。しかも落し部材１７の操作ピン８が連接する隣のパネルの側端面に挿入されているから、パネル相互の床面６に対する移動が確実に阻止される。
【００２８】
また、パネル２ａ、２ｂの両側端面ＦＲ、ＦＬの断面は中央部が一部突出した形状であり、操作ピン８が中央部から突出した構成となっているので、パネル相互の密着性を高め、かつ落し部材１７の操作ピンを外部から見えないようにすることができる。
【００２９】
更に、挿入ロッド１０を操作ピン８に対してパネルの幅方向に偏心した構成となっているので、挿入ロッド１０がパネル幅方向に対して外側に寄せて配置できるので、挿入ロッド１０を床面６に形成した受け坪１２に目視し易い状態で挿入できる。
【００３０】
加えて、他方のパネル２ｂの側端面に形成されされさ挿入口が、操作ピン８のいかなる操作位置でも受け入れ可能な縦長の長孔２５で形成されているので、落し部材１７の操作し忘れ、あるいは挿入ロッド１０がつかえて途中までしか挿入できないような場合でも、操作ピン８を長孔２５に受け入れることができ、パネル接合時にパネル側端面を操作ピン８で傷つけるようなことがない。
【００３１】
次に、本発明の第２実施形態につき説明する。図７〜図９は第２実施形態に係る間仕切り装置を示しており、図７は連設接合された最後のパネルを閉じる状態を示す斜視図、図８は第２実施形態に係りパネルユニットを床面に固定する落し部材を示す斜視図、図９の（ａ）は隣接するパネルユニットの側端面が接合する直前の状態を示す断面図であり、（ｂ）は隣接するパネルユニットの側端面が接合した状態を示す断面図である。なお、前述した実施形態における構成部材と同一構成部材は同一符号を付し重複する説明を省略する。
【００３２】
本実施形態における間仕切り装置は、例えば、部屋内が複数のパネルを連設接合し、残りの間隙を最終パネル２ｃによって仕切る際に使用されるものである。
【００３３】
最終パネル２ｃないしこの最終パネル２ｃに接合される先のパネル２ｂ′のサイドフレームＦ′Ｌ及びＦ′Ｒの内部には第１実施形態と同様の構成からなる落し部材が設けられている。
【００３４】
すなわち、図９の（ａ）、（ｂ）に示すように、先のパネル２ｂ′側端面の中央部が一部突出した断面形状を有するサイドフレームＦ′Ｒ内部には、その突出部以外の側端部に配置される挿入ロッド１０の側面に操作ピン９ａが溶接接合されており、この操作ピン９ａは、サイドフレームＦ′Ｒの接合面側に形成された縦長の長孔を通してサイドフレームＦ′Ｒ中央の突出部の長くとも突出高さまで突出している。
【００３５】
また、最終のパネル２ｃ側端面のサイドフレームＦ′Ｌ内部の突出部以外の側端部に配置される挿入ロッド１０の側面にも、先のパネル２ｂ′の操作ピン９ａに対応する位置に、縦長の長孔を通してサイドフレームＦ′Ｌ中央の突出部の長くとも突出高さまで突出している。
【００３６】
従って、双方のパネル２ｂ′、２ｃの接合端面対向して突出した一対の操作ピン９ａ、９ｂは、互いに双方のパネル２ｂ′、２ｃのサイドフレームＦ′Ｒ、Ｆ′Ｌが接合した際に、中央の突出部以外の側端面間で形成される空間部内に配置される構成となっている。
【００３７】
そこで、図７及び図８に示されるように、最終のパネル２ｃが閉じられる前に、先のパネル２ｂ′のサイドフレームＦ′Ｒ下方の操作ピン９ａの操作により、挿入ロッド１０を床面６の所定位置に埋め込まれた受け坪１２に落し込みパネル２ｂ′の下端を保持する。
【００３８】
次いで、収容領域Ｐ内に収容されている最終パネル２ｃをガイドレール４上で水平に回転させることで、最終パネル２ｃ側端面のサイドフレームＦ′Ｌ中央の突出部を先のパネル２ｂ′のサイドフレームＦ′Ｒ中央の突出部に接合させる。
【００３９】
この状態で、最終パネル２ｃの操作ピン９ｂを操作して挿入ロッド１０を床面６の対応位置に埋め込まれた受け坪１２に落し込みパネル２ｃの下端を保持する。このようにして、全てのパネルは、天井３に配置されたガイドレール４に沿って連設接合された状態で部屋内が間仕切りされ、それぞれの下端部に設けられる挿入ロッド１０が床面６の受け坪１２に挿入されて確実に固定される。
【００４０】
従って、本発明の第２実施形態に係る間仕切り装置によれば、第１実施形態における効果に加え、最終パネル２ｃとその先のパネル２ｂ′を接合した後でも、中央の突出部同士の接合により形成される空間部を介して外部から落し部材１７の操作ピン８を操作することができる。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
【発明の効果】
本発明によれば、次のような効果が得られる。
【００４３】
（ａ）請求項１に記載の発明によれば、パネルはキャスタによりその重量を支持させることができるので、ガイドレールはパネルの案内を行うだけの強度を有すれば良いことから、天井部の梁等の位置に関係なく架設することができ、連接後のキャスタによるパネル下方の移動は、落し部材により床面に固定される。しかも落し部材の操作ピンが連接する隣のパネルの側端面に挿入されているから、パネル相互の床面に対する移動が確実に阻止される。また側端面の一部を突出させることでパネル相互の密着性を高め、かつ落し部材の操作ピンを外部から見えないようにすることができ、かつ挿入ロッドがパネル幅方向に対して外側に寄せて配置できるので、挿入ロッドを床面に形成した受け坪に目視しやすい状態で挿入できる。
【００４６】
（ｂ）請求項２に記載の発明によれば、落し部材の操作し忘れ、あるいは挿入ロッドがつかえて途中までしか挿入できないような場合でも、操作ピンを挿入口に受け入れることができ、パネル接合時にパネル側端面を操作ピンで傷つけてしまうようなことがない。
【００４７】
（ｃ）請求項３に記載の発明によれば、パネルはキャスタによりその重量を支持させることができるので、ガイドレールはパネルの案内を行うだけの強度を有すれば良いことから、天井部の梁等の位置に関係なく架設することができ、連接後のキャスタによるパネル下方の移動は、落し部材により床面に固定される。しかも側端面の一部を突出させることでパネル相互の密着性を高め、かつパネルを連接した後でも中央部同士の接合により形成される空間部を介して外部から落し部材の操作ピンを操作できる。
【図面の簡単な説明】
【図１】本発明の第１実施形態に係る間仕切り装置を構成するパネルユニットの正面図である。
【図２】間仕切り装置の部分斜視図である。
【図３】パネルユニットを床面に固定する落し部材を示す斜視図である。
【図４】落し部材の内部構造を示す斜視図である。
【図５】隣接するパネル側端面の関係を示す部分断面図である。
【図６】（ａ）は図５のＡ−Ａ断面図、（ｂ）は隣接するパネルユニットの端部が接合した状態を示す断面図である。後面板がスペーサ部材を介して底板に取付けられる状態を示す部分斜視図である。
【図７】本発明の第２実施形態に係り、連設接合された最後のパネルを閉じる状態を示す斜視図である。
【図８】第２実施形態に係りパネルユニットを床面に固定する落し部材を示す斜視図である。
【図９】（ａ）は隣接するパネルユニットの側端面が接合する直前の状態を示す断面図であり、（ｂ）は隣接するパネルユニットの側端面が接合した状態を示す断面図である。
【符号の説明】
１              間仕切り装置
２、２ａ、２ｂ  パネル
２ｂ′          パネル
２ｃ            最終パネル
２Ａ、    ２Ｂ  パネル板
３              天井
４              ガイドレール
４ａ            分岐ガイドレール
５ａ、５ｂ      ガイドローラ
６              床面
８              操作ピン
９ａ、９ｂ      操作ピン
１０            挿入ロッド
１２            受け坪
１３            中板
１４ａ      、１４ｂ  化粧板
１５ａ、１５ｂ  部材
１６            ブラケット
１７            落し部材
１８ａ、１８ｂ  舌片
２０            ガイド部材
２２            摺動ブロック
２４            ブラケット
２５            長孔
Ｃ１、Ｃ２      キャスタ
ＦＲ、ＦＬ      サイドフレーム
ＦＤ            下部フレーム
ＦＵ            上部フレーム
Ｈ              長孔
Ｐ              収容領域
【図１】
0004787422.tif 000002
【図２】
0004787422.tif 000003
【図３】
0004787422.tif 000004
【図４】
0004787422.tif 000005
【図５】
0004787422.tif 000006
【図６】
0004787422.tif 000007
【図７】
0004787422.tif 000008
【図８】
0004787422.tif 000009
【図９】
0004787422.tif 000010